(57)【特許請求の範囲】
【請求項１】
機体フレームの下側にクローラ走行装置を装備し、機体フレームの上部に脱穀装置を搭載してなるコンバインにおいて、上記脱穀装置の風選室に設けた１番螺旋と２番螺旋との間に、２番物を風選する横断流ファンを配設すると共に、上記横断流ファン下側の機体フレーム間に、風路を確保した状態で、クローラ走行装置の後端から跳ね上げられる泥を阻止する板状部材を設け、
該板状部材は、横断流ファンの回転軸芯の略直下位置と、その前後位置にそれぞれ所要間隔を存して、水平方向を基準に側面視で前低後高の傾斜状に設けると共に、
それぞれの板状部材同士を垂直方向に重合しない位置に設けたことを特徴とするコンバインにおける横断流ファン下側の泥除け装置。
【発明の詳細な説明】
【０００１】
【発明の属する技術分野】
本発明は、コンバインにおける横断流ファン下側の泥除け装置に係り、詳しくは、２番物を風選する横断流ファンの風路を確保しながら、コンバイン作業中にクローラ走行装置の後端から、横断流ファンの風路に向けて跳ね上げられる泥による風路の閉塞を簡単な構造で確実に防止し、安定した風力バランスで２番物に対する高い風選能力を維持することができるコンバインにおける横断流ファン下側の泥除け装置に関するものである。
【０００２】
【従来の技術】
横断流ファンの下側は開放した風路になっているので、コンバイン作業中にクローラ走行装置の後端から、横断流ファンの風路に向けて跳ね上げられた泥で、該風路が閉塞される不具合があった。また、上記不具合を解消するために、単純に横断流ファンの下側を塞ぐと風量が低下し、２番物に対する風選能力が著しく低下する不具合があった。
【０００３】
【発明が解決しようとする課題】
本発明は、上記のような実状に鑑み、従来の欠点を解消すべく創案されたものであって、その意図とするところは、２番物を風選する横断流ファンの風路を確保しながら、コンバイン作業中にクローラ走行装置の後端から、横断流ファンの風路に向けて泥が跳ね上げられても、この泥による風路の閉塞を簡単な構造で確実に防止し、安定した風力バランスで２番物に対する精度の高い風選能力を維持することができるコンバインにおける横断流ファン下側の泥除け装置を提供することを課題とするものである。
【０００４】
【課題を解決するための手段】
上記の課題を解決するため、本発明が採用した技術的手段は、機体フレームの下側にクローラ走行装置を装備し、機体フレームの上部に脱穀装置を搭載してなるコンバインにおいて、上記脱穀装置の風選室に設けた１番螺旋と２番螺旋との間に、２番物を風選する横断流ファンを配設すると共に、上記横断流ファン下側の機体フレーム間に、風路を確保した状態で、クローラ走行装置の後端から跳ね上げられる泥を阻止する板状部材を設け、該板状部材は、横断流ファンの回転軸芯の略直下位置と、その前後位置にそれぞれ所要間隔を存して、水平方向を基準に側面視で前低後高の傾斜状に設けると共に、それぞれの板状部材同士を垂直方向に重合しない位置に設けたことを特徴とするものである。
【０００６】
【発明の実施の形態】
本発明の実施の形態を添付図面に基いて詳細に説明する。
図１は機体フレームの上部に搭載した脱穀装置の透視側面図、図２は機体フレームの下側に装備したクローラ走行装置と脱穀装置の風選室要部の側面図、図３は泥除け装置の平面図、図４は同上拡大側面図である。
【０００７】
先ず図１において、１は機体フレーム２の上部に搭載した脱穀装置で、該脱穀装置１は扱室３に扱胴４が機体の前後方向に軸架されており、その送塵口５を介して処理胴６が同方向に連設されている。扱胴４の下側には受網４ａが張設されており、また処理胴６の下側にも受網６ａが張設されている。そして、上記扱胴４と処理胴６の下方には風選室７が形成されている。
【０００８】
風選室７には穀粒揺動選別体８が機体の前後方向に揺動自在に架設されており、この穀粒揺動選別体８は、その基端側に無孔の段付穀粒移送板９が形成され、それに連設してチャフシーブ１０が後方に延出されていると共に、チャフシーブ１０の下方には穀粒選別網１１が張設され、その後端側にはストローラック１２が延設されて構成されている。
【０００９】
穀粒揺動選別体８の基端側下方、すなわち、無孔の段付穀粒移送板９の下方には、１番物を風選する唐箕１３が配設されており、穀粒選別網１１の下方には、穀粒回収流板１１ａが斜設されており、その傾斜下方には、１番螺旋１４が機幅方向に設けられ、その移送終端部には穀粒揚上筒体１５が立設され、更にストローラック１２の後端部から斜め下方に設けられた２番物回収流板１６の下方には２番螺旋１７が機幅方向に設けられ、その移送終端部には２番物還元筒１８が穀粒揺動選別体８の基端側に向けて斜設されている。１９は、２番物を風選する横断流ファンであって、該横断流ファン１９は風選室７に設けた１番螺旋１４と２番螺旋１７との間に配設されており、その下側は機幅方向に開放状の風路が形成されている。２０は脱穀フィードチェン、２１はグレンタンク、２２は排塵ファン、２３は排稈搬送体、２４は円盤状カッターである。
【００１０】
図２及び図３において、２５は機体フレーム２の下側に装備されたクローラ走行装置、２６はコンバイン作業中に、上記クローラ走行装置２５の後端部に配設されたアイドラ２５ａの近傍から跳ね上げられる泥ａを除けるために、横断流ファン１９の下側に臨む機体フレーム２、２間に設けられた板状部材であって、該板状部材２６は側面視において、横断流ファン１９の回転軸芯の略直下位置と、その前後位置にそれぞれ所要間隔を存して水平方向を基準に前低後高の傾斜状に設けると共に、それぞれの板状部材２６同士を垂直方向に重合しない位置に設けられている。
【００１１】
上記板状部材２６の取付構造は、図４に示すように、Ｌ字状部材２６ａの頂角部を上方に向けて山形状とし、これを取付基材として、側面視左側の傾辺部に板状体２６ｂの一辺側を頂角部より延出させた状態で重合し、緊締具２７を介して緊着した構造となっている。
【００１２】
叙上の構成において、いま、刈取られた穀稈がその株元部を脱穀フィードチェン２０に挟持された状態で、穂先部が扱室３に供給されると、扱胴４の回転により脱穀され、穀粒、藁屑等の混合物が受網４ａに落下する。そして、受網４ａの網目から下方の穀粒揺動選別体８の基端側に漏下した穀粒、藁屑等の混合物は、無孔の段付穀粒移送板９により前後揺動されながらチャフシーブ１０側へ移送される過程で比重選別され、比重の重い穀粒は下層に沈下し、比重の軽い藁屑は上層に浮上し、この状態で矢印Ａで示す選別風路を吹き抜ける唐箕１３の圧風により風選され、穀粒選別網１１から漏下した穀粒は、穀粒回収流板１１ａを流下して１番螺旋１４に落入し、穀粒揚上筒体１５に移送されてグレンタンク２１に収容される。
【００１３】
一方、穀粒選別網１１に漏下しない穂切穀稈やササリ粒、藁屑等はストローラック１２上に放出されるが、矢印Ｂで示す選別風路を吹き抜ける横断流ファン１９の圧風により風選され、ストローラック１２から落下した穂切穀稈やササリ粒は、２番物回収流板１６を流下して２番螺旋１７に落入し、２番物還元筒１８により穀粒搖動選別体８の基端側に還元され再選別に供され、ストローラック１２から落下しない藁屑は排塵ファン２２に吸引されて機外に放出される。
【００１４】
ところで、上記一連の脱穀選別作業は、コンバインを圃場の立毛穀稈群に進入させて行われるが、２番物を風選する横断流ファン１９の下側は開放された風路となっているので、コンバイン作業中にクローラ走行装置２５の後端から跳ね上がる圃場の泥で風路が塞がれようとするが、本発明では横断流ファン１９の下側に臨む機体フレーム２、２間に、横断流ファン１９の回転軸心の略直下位置と、その前後位置にそれぞれ所要間隔を存して板状部材２６を水平方向を基準に側面視で前低後高の傾斜状に設けると共に、それぞれの板状部材２６同士を垂直方向に重合しない位置に設けたので、泥の跳ね上げによる風路の閉塞が確実に防止できると共に、風量の低下を来すこともなく、安定した風力バランスで２番物に対する精度の高い風選能力を維持することができる。
【００１５】
【発明の効果】
以上の説明によって明らかなように、本発明によれば、２番物を風選する横断流ファンの下側に臨む機体フレーム間に、コンバイン作業中にクローラ走行装置の後端部から、横断流ファンの風路に向けて跳ね上げられる圃場の泥を阻止する板状部材を設けると共に、該板状部材は横断流ファンの回転軸芯の略直下位置と、その前後位置にそれぞれ所要間隔を存して水平方向を基準に側面視で前低後高の傾斜状に設けると共に、それぞれの板状部材同士を垂直方向に重合しない位置に設けたから、横断流ファンの下側が開放された風路になっていても、泥の跳ね上げによる風路の閉塞を板状部材で確実に防止することができ、しかも風量の低下を来すこともなく、安定した風力バランスで２番物に対する精度の高い風選能力を維持することができる、という極めて有用な新規的効果を奏するものである。
【図面の簡単な説明】
【図１】機体フレームの上部に搭載した脱穀装置の透視側面図である。
【図２】機体フレームの下側に装備したクローラ走行装置と脱穀装置の風選室要部の側面図である。
【図３】泥除け装置の平面図である。
【図４】泥除け装置の拡大側面図である。
【符号の説明】
１      脱穀装置
２      機体フレーム
１４    １番螺旋
１７    ２番螺旋
１９    横断流ファン
２５    クローラ走行装置
２６    板状部材
２６ａ  Ｌ字状部材
２６ｂ  板状体
【図１】
0003748803.tif 000002
【図２】
0003748803.tif 000003
【図３】
0003748803.tif 000004
【図４】
0003748803.tif 000005